(57)【要約】【課題】ＡＶ同期が外れた時にも、簡単な構成で尚且つ短時間で同期を回復させることができ、利用者から見た画面フリーズ期間が極めて短時間あるいはほとんど認識対象とならない期間に短縮する。【解決手段】音声情報入力部から入力した音声情報を記憶する音声情報蓄積部と、映像情報入力部から入力した映像情報を記憶する映像情報蓄積部と、音声情報蓄積部に記憶している音声情報と映像情報蓄積部に記憶している映像情報とを取り出してその同期を制御する同期制御部と、同期制御部によって同期制御された音声情報と映像情報とを復号化する復号部とを有し、同期制御部は同期制御するために音声情報蓄積部または映像情報蓄積部に記憶している音声情報または映像情報の全部あるいは一部を、フレーム単位またはＧＯＰ単位またはこれらの複数あるいはその他の単位で消去する。【選択図】図４
2006310916.tif 000002
【特許請求の範囲】
【請求項１】
音声情報入力部と、
映像情報入力部と、
前記音声情報入力部から入力した音声情報を記憶する音声情報蓄積部と、
前記映像情報入力部から入力した映像情報を記憶する映像情報蓄積部と、
前記音声情報蓄積部に記憶している音声情報と前記映像情報蓄積部に記憶している映像情報とを取り出してその同期を制御する同期制御部と、
前記同期制御部によって同期制御された音声情報と映像情報とを復号化する復号部とを有し、
前記同期制御部は同期制御するために前記音声情報蓄積部または前記映像情報蓄積部に記憶している音声情報または映像情報の全部あるいは一部を消去する、
音声映像情報復号装置。
【請求項２】
前記音声情報または前記映像情報の全部あるいは一部の消去は、前記音声情報または前記映像情報のうちの遅延している情報に対して消去を行う、
請求項１に記載の音声映像情報復号装置。
【請求項３】
前記音声情報または前記映像情報の全部あるいは一部の消去は、前記音声情報蓄積部または前記映像情報蓄積部に対してクリア信号を送信することによって行う、
請求項１または請求項２に記載の音声映像情報復号装置。
【請求項４】
前記音声情報に対して前記映像情報の方が遅延している時の前記映像情報の消去は、
ＧＯＰ単位で行う、
請求項１から請求項３のいずれか１項に記載の音声映像情報復号装置。
【請求項５】
前記音声情報に対して前記映像情報の方が遅延している時の前記映像情報の消去は、
フレーム単位で行う、
請求項１から請求項４のいずれか１項に記載の音声映像情報復号装置。
【請求項６】
前記音声情報に対して前記映像情報の方が遅延している時の前記映像情報の消去は、
複数のフレーム単位で行う、
請求項１から請求項５のいずれか１項に記載の音声映像情報復号装置。
【請求項７】
前記消去を行うべき音声情報量あるいは映像情報量を判断するためのデータ制御部を有する、
請求項１から請求項６のいずれか１項に記載の音声映像情報復号装置。
【請求項８】
前記消去するべき映像情報量はフレーム数である、
請求項７に記載の音声映像情報復号装置。
【請求項９】
音声情報入力手順と、
映像情報入力手順と、
前記音声情報入力手順によって入力した音声情報を記憶する音声情報蓄積手順と、
前記映像情報入力手順によって入力した映像情報を記憶する映像情報蓄積手順と、
前記音声情報蓄積手順によって記憶した音声情報と前記映像情報蓄積手順によって記憶した映像情報とを取り出してその同期を制御する同期制御手順と、
前記同期制御手順によって同期制御された音声情報と映像情報とを復号化する復号手順とを有し、
前記同期制御手順は同期制御するために前記音声情報蓄積手順または前記映像情報蓄積手順によって記憶した音声情報または映像情報の全部あるいは一部を消去する、
音声映像情報復号方法。
【請求項１０】
コンピュータによって実行される音声映像情報復号プログラムであって、
音声情報入力ステップと、
映像情報入力ステップと、
前記音声情報入力ステップによって入力した音声情報を記憶する音声情報蓄積ステップと、
前記映像情報入力ステップによって入力した映像情報を記憶する映像情報蓄積ステップと、
前記音声情報蓄積ステップによって記憶した音声情報と前記映像情報蓄積ステップによって記憶した映像情報とを取り出してその同期を制御する同期制御ステップと、
前記同期制御ステップによって同期制御された音声情報と映像情報とを復号化する復号ステップとを有し、
前記同期制御ステップは同期制御するために前記音声情報蓄積ステップまたは前記映像情報蓄積ステップによって記憶した音声情報または映像情報の全部あるいは一部を消去する、
音声映像情報復号プログラム。
【請求項１１】
コンピュータによって読み取り可能な情報記録媒体であって、
請求項１０に記載した音声映像情報復号プログラムを記録した記録媒体。
【発明の詳細な説明】
【技術分野】
【０００１】
本特許出願に係る発明（以後、「本発明」という）は、何らかの符号化方式で符号化された映像情報と音声情報とを、放送の受信あるいは蓄積装置からの読み出し、あるいはその他の何らかの方式によって入力し、この映像情報と音声情報との同期を制御しながら復号化し、再生部へ送出あるいは再生する、音声映像情報復号装置、音声映像情報復号方法、音声映像情報復号プログラム及び音声映像情報復号プログラムを記録した記録媒体に関するものである。
【背景技術】
【０００２】
従来の、何らかの符号化方式で符号化された映像情報と音声情報とを、放送の受信あるいは蓄積装置からの読み出し、あるいはその他の何らかの方式によって入力し、この映像情報と音声情報を復号化し、同期を制御しながら再生部へ送出あるいは再生する、音声映像情報復号装置、音声映像情報復号方法、音声映像情報復号プログラム及び音声映像情報復号プログラムを記録した記録媒体には、例えば、下記特許文献１に記載された、ＡＶ同期再生方法及びその装置並びに情報記録媒体があった。
【０００３】
図６に、この従来のＡＶ同期方式を行うＡＶ受信機９００の概略構成図を示す。
【０００４】
このＡＶ受信機９００は、ＤＶＤ−ＲＡＭやＣＤ−ＲＯＭの情報記録媒体から読み出したＭＰＥＧ方式等の圧縮データ（映像情報、音声情報及び時刻情報等）である映像音声入力信号９２０を取り込む入力回路９０１と、この入力回路９０１からの圧縮データを映像情報と音声情報とに分離して出力する第１分離手段としてのＡＶ分離（ＤＥＭＵＸ）回路９０２とを有している。
【０００５】
また、このＡＶ受信機９００は、ＡＶ分離回路９０２からの映像情報を映像タイムスタンプと映像データとに分離して出力する第２分離手段としての映像タイムスタンプ（時刻情報）抽出回路９０３と、ＡＶ分離回路９０２からの音声情報を音声タイムスタンプと音声データとに分離して出力する第２分離手段としての音声タイムスタンプ（時刻情報）抽出回路９０６を有している。
【０００６】
さらに、このＡＶ受信機９００は、映像タイムスタンプ抽出回路９０３からの圧縮した映像データを伸長（復元）して出力する映像データ再生手段としての映像再生回路９０４と、この映像再生回路９０４からの映像データを画面表示する映像表示画面９０５とを有し、さらにまた、音声タイムスタンプ抽出回路９０６からの圧縮した音声データを伸長（復元）して出力する音声データ再生手段としての音声再生回路９０７と、この音声再生回路９０７からの音声データを音声出力するスピーカー９０８とを有している。
【０００７】
このＡＶ受信機９００には、映像タイムスタンプ抽出回路９０３からの映像タイムスタンプと音声タイムスタンプ抽出回路９０６からの映像タイムスタンプが入力され、かつ、音声再生回路９０７から再生する音声データの終了を通知する音声再生終了信号が入力される再生制御手段としての再生制御回路９０９が設けられている。
【０００８】
映像タイムスタンプ抽出回路９０３及び音声タイムスタンプ抽出回路９０６から出力された、映像データの映像表示と音声データの再生出力とは、その時刻を再生制御回路９０９の制御によって整合される。
【０００９】
この時刻が整合された映像データが映像タイムスタンプ抽出回路９０３から映像再生回路９０４に入力される。また、時刻が整合された音声データが音声タイムスタンプ抽出回路９０６から音声再生回路９０７に入力される。
【００１０】
この時に、映像表示時間に合致した音声データを再生制御回路９０９の制御によって音声タイムスタンプ抽出回路９０６から音声再生回路９０７に出力する。
【００１１】
音声データの再生が終了すると、この音声データの再生終了を示す音声再生終了信号を再生制御回路９０９が音声再生回路９０７から取り込む。この取り込みによって、再生制御回路９０９が、映像タイムスタンプ抽出回路９０３及び音声タイムスタンプ抽出回路９０６を制御して、上記のように再度、次の映像データと映像データの映像表示時間に整合した音声データを音声再生回路９０７に出力する制御を行い、かつ、映像データを映像再生回路９０４に出力する制御を行う。
【００１２】
この時、再生制御回路９０９が、映像タイムスタンプ抽出回路９０３からの映像タイムスタンプ及び音声タイムスタンプ抽出回路９０６からの音声タイムスタンプを比較する。この２つのタイムスタンプの時刻差が大きい場合、映像データまたは音声データが異常（エラー発生）であると再生制御回路９０９が認識する。
【００１３】
この認識によって、再生制御回路９０９が一定時間、映像タイムスタンプと音声タイムスタンプとの取り込み及び比較を繰り返す。
【００１４】
この一定時間における比較によって、２つのタイムスタンプの時刻差が小さくならない場合、再生制御回路９０９が、映像タイムスタンプ抽出回路９０３及び映像再生回路９０４を制御して映像データの出力を停止して時刻に合うまで待つ、もしくは、データを破棄して時刻に追いつく制御を行う。
【００１５】
このタイムスタンプの時刻差が大きい場合とは、映像データ及び音声データの同期ずれによって、結果的に高品質のオーディオ・ビデオ出力が得られない場合である。
【００１６】
同様に、再生制御回路９０９が、音声タイムスタンプ抽出回路９０６及び音声再生回路９０７を制御して、音声データの出力を停止して時刻に合うまで待つ、もしくは、データを破棄して時刻に追いつく制御を行う。
【００１７】
この後、再生制御回路９０９が、上記のように映像タイムスタンプ抽出回路９０３及び音声タイムスタンプ抽出回路９０６からの、映像データの映像表示と音声データとの再生出力との時刻を整合させる動作から繰り返す。
【００１８】
このような動作の繰り返しによって、音声データと映像データとの同期を確立することができる。
【特許文献１】特開平９−８４０１１号公報
【発明の開示】
【発明が解決しようとする課題】
【００１９】
しかしながら、上記のような、従来のＡＶ同期方式は、タイムスタンプを比較してＡＶ同期を行うもので、処理遅延が大きく同期リカバリ機能が弱いという課題があった。
【００２０】
そして同期が追いつくまでは画面がフリーズすることとなり、利用者から見た画面フリーズ期間が長くなるという課題があった。
【００２１】
さらに、放送系と蓄積系とでは、ＡＶ情報の供給パターンも異なり、ＡＶ同期方式前段処理もそれに合わせて変更する必要があった。
【課題を解決するための手段】
【００２２】
本発明は、上記課題を解決するために行われたもので、以下のような手段を採る。
【００２３】
本特許出願に係る請求項１に記載の発明は、音声情報入力部と、映像情報入力部と、前記音声情報入力部から入力した音声情報を記憶する音声情報蓄積部と、前記映像情報入力部から入力した映像情報を記憶する映像情報蓄積部と、前記音声情報蓄積部に記憶している音声情報と前記映像情報蓄積部に記憶している映像情報とを取り出してその同期を制御する同期制御部と、前記同期制御部によって同期制御された音声情報と映像情報とを復号化する復号部とを有し、前記同期制御部は同期制御するために前記音声情報蓄積部または前記映像情報蓄積部に記憶している音声情報または映像情報の全部あるいは一部を消去する、音声映像情報復号装置である。
【００２４】
本特許出願に係る請求項２に記載の発明は、前記音声情報または前記映像情報の全部あるいは一部の消去は、前記音声情報または前記映像情報のうちの遅延している情報に対して消去を行う、請求項１に記載の音声映像情報復号装置である。
【００２５】
本特許出願に係る請求項３に記載の発明は、前記音声情報または前記映像情報の全部あるいは一部の消去は、前記音声情報蓄積部または前記映像情報蓄積部に対してクリア信号を送信することによって行う、請求項１または請求項２に記載の音声映像情報復号装置である。
【００２６】
本特許出願に係る請求項４に記載の発明は、前記音声情報に対して前記映像情報の方が遅延している時の前記映像情報の消去は、ＧＯＰ単位で行う、請求項１から請求項３のいずれか１項に記載の音声映像情報復号装置である。
【００２７】
本特許出願に係る請求項５に記載の発明は、前記音声情報に対して前記映像情報の方が遅延している時の前記映像情報の消去は、フレーム単位で行う、請求項１から請求項４のいずれか１項に記載の音声映像情報復号装置である。
【００２８】
本特許出願に係る請求項６に記載の発明は、前記音声情報に対して前記映像情報の方が遅延している時の前記映像情報の消去は、複数のフレーム単位で行う、請求項１から請求項５のいずれか１項に記載の音声映像情報復号装置である。
【００２９】
本特許出願に係る請求項７に記載の発明は、前記消去を行うべき音声情報量あるいは映像情報量を判断するためのデータ制御部を有する、請求項１から請求項６のいずれか１項に記載の音声映像情報復号装置である。
【００３０】
本特許出願に係る請求項８に記載の発明は、前記消去するべき映像情報量はフレーム数である、請求項７に記載の音声映像情報復号装置である。
【００３１】
本特許出願に係る請求項９に記載の発明は、音声情報入力手順と、映像情報入力手順と、前記音声情報入力手順によって入力した音声情報を記憶する音声情報蓄積手順と、前記映像情報入力手順によって入力した映像情報を記憶する映像情報蓄積手順と、前記音声情報蓄積手順によって記憶した音声情報と前記映像情報蓄積手順によって記憶した映像情報とを取り出してその同期を制御する同期制御手順と、前記同期制御手順によって同期制御された音声情報と映像情報とを復号化する復号手順とを有し、前記同期制御手順は同期制御するために前記音声情報蓄積手順または前記映像情報蓄積手順によって記憶した音声情報または映像情報の全部あるいは一部を消去する、音声映像情報復号方法である。
【００３２】
本特許出願に係る請求項１０に記載の発明は、コンピュータによって実行される音声映像情報復号プログラムであって、音声情報入力ステップと、映像情報入力ステップと、前記音声情報入力ステップによって入力した音声情報を記憶する音声情報蓄積ステップと、前記映像情報入力ステップによって入力した映像情報を記憶する映像情報蓄積ステップと、前記音声情報蓄積ステップによって記憶した音声情報と前記映像情報蓄積ステップによって記憶した映像情報とを取り出してその同期を制御する同期制御ステップと、前記同期制御ステップによって同期制御された音声情報と映像情報とを復号化する復号ステップとを有し、前記同期制御ステップは同期制御するために前記音声情報蓄積ステップまたは前記映像情報蓄積ステップによって記憶した音声情報または映像情報の全部あるいは一部を消去する、音声映像情報復号プログラムである。
【００３３】
本特許出願に係る請求項１１に記載の発明は、コンピュータによって読み取り可能な情報記録媒体であって、請求項１０に記載した音声映像情報復号プログラムを記録した記録媒体である。
【発明の効果】
【００３４】
本発明によれば、ＡＶ同期が外れた時にも、簡単な構成で尚且つ短時間で同期を回復させることができ、利用者から見た画面フリーズ期間が極めて短時間あるいはほとんど認識対象とならない期間に短縮することが可能となる。
【発明を実施するための最良の形態】
【００３５】
以下に、本発明の実施の形態について、図面を参照して説明する。
【００３６】
本発明に係る、ＡＶ同期方法の実施の形態であるＡＶ再生機１００の概略構成図を図１に示す。
【００３７】
図１に示すとおり、本発明に係る、ＡＶ同期方法の実施の形態であるＡＶ再生機１００は、例えば放送を受信し選局したり、ＨＤＤやＤＶＤを始めとする記録メディアから読み出されたＡＶ（オーディオ・ビデオ）信号である、映像音声入力信号１２０を入力する入力回路１０１を有している。なお、この映像音声入力信号１２０は、それぞれ何らかの方式で圧縮符号化された音声信号と映像信号とが重畳された信号である。
【００３８】
また、ＡＶ再生機１００は、この入力回路１０１が入力した映像音声入力信号１２０を受け取り、オーディオ信号と映像信号とに分離するＡＶ分離回路１０２を有している。
【００３９】
ＡＶ再生機１００は、映像バッファ１０３を有し、この映像バッファ１０３は、ＡＶ分離回路１０２が映像音声入力信号１２０から分離した映像信号を、データ制御回路１１０を経由して受け取り、格納記憶し、その映像信号を逐次映像復号回路１０４に送り渡す。
【００４０】
この時、同期制御回路１０９によってその同期制御が行われる。これについては、後述する。
【００４１】
ＡＶ再生機１００は、データ制御回路１１０を有し、このデータ制御回路１１０は、ＡＶ分離回路１０２が映像音声入力信号１２０から分離した音声信号を受け取り、この音声信号を音声バッファ１０６に送り渡す。
【００４２】
また、データ制御回路１１０は、ＡＶ分離回路１０２が映像音声入力信号１２０から分離した映像信号を受け取り、この映像信号を映像バッファ１０３に送り渡す。
【００４３】
この詳細についても後述する。
【００４４】
ＡＶ再生機１００は、上記のとおり、音声バッファ１０６を有し、この音声バッファ１０６は、データ制御回路１１０が送り出した音声信号を受け取り、格納記憶し、その音声信号を逐次音声復号回路１０７に送り渡す。
【００４５】
この時、同期制御回路１０９によってその同期制御が行われる。これについても、後述する。
【００４６】
映像復号回路１０４は、映像バッファ１０３が送り出した映像データを受け取り、その映像データを復号化する。例えば、この映像復号回路１０４とはＭＰＥＧ２デコーダやＭＰＥＧ４デコーダである。
【００４７】
映像復号回路１０４が復号化した映像データは、映像表示画面１０５へ送られ、映像が表示される。
【００４８】
映像表示画面１０５とは、例えば、液晶表示パネルやＰＤＰや、ＣＲＴモニタディスプレイ等である。
【００４９】
音声復号回路１０７は、音声バッファ１０６が送り出した音声データを受け取り、その音声データを復号化する。例えば、この音声復号回路１０７とはＭＰ３デコーダである。
【００５０】
音声復号回路１０７が復号化した音声データは、スピーカー１０８へ送られ、音声が再現される。
【００５１】
スピーカー１０８は、必ずしもスピーカーに限らず、音声データを再現できるものならば何であっても構わない。
【００５２】
上記のとおり、データ制御回路１１０と同期制御回路１０９とは相俟って、映像バッファ１０３から映像復号回路１０４に渡す映像データと、音声バッファ１０６から音声復号回路１０７に渡すデータとの同期を制御する。
【００５３】
これについては、図２を使ってより詳細に説明する。
【００５４】
図２に、データ制御回路１１０と同期制御回路１０９とが相俟って、映像データと音声データとの同期制御を行い、それぞれ映像復号回路１０４と音声復号回路１０７とを経由して、再生視聴される様子を模式的に示す。
【００５５】
「ＰＴＳ：３桁の数字」を記したボックスは、１つの映像または音声データの単位（ブロック）を表し、ＰＴＳは、「Ｐｒｅｓｅｎｔａｔｉｏｎ  Ｔｉｍｅ  Ｓｔａｍｐｓ」の頭文字で、映像や音声が再生視聴されるべき時刻を表す情報である。
【００５６】
また、このＰＴＳ毎の映像または音声の単位（ブロック）は、例えば映像データであれば、フレーム単位のデータであっても構わないし、複数のフレームを１つの単位とするデータであっても構わないし、１つのフレームの一部を１つの単位とするデータであっても構わないし、例えば、１つのＧＯＰを単位とするデータであっても構わない。
【００５７】
また、図２では、ＰＴＳを１０刻みで等間隔に表示しているが、これも１つの例に過ぎず、この間隔は幾らであってもよく、必ずしも等間隔ではなくても構わない。
【００５８】
図２に示す例では、音声バッファ１０６に、音声データが、ＰＴＳが２６０から２９０までの４単位格納されており、その前のＰＴＳが２５０の音声データが音声復号回路１０７へ送り出され、音声復号回路１０７で復号されている状態を示している。
【００５９】
また、映像バッファ１０３にも同様に、映像データが、ＰＴＳが２６０から２９０までの４単位格納されており、その前のＰＴＳが２５０の映像データが映像復号回路１０４へ送り出され、映像復号回路１０４で復号されている状態を示している。
【００６０】
また、その下の横線では、時間の流れの様子を示しており、現在の時刻がＰＴＳの「２５０」であったと仮定して、その状態を示している。
【００６１】
このような状態では、音声復号回路１０７で復号されている音声データが保有するＰＴＳ情報（２５０）と、映像復号回路１０４で復号されている映像データが保有するＰＴＳ情報（２５０）と、現在時刻（２５０）との三者を比較し（Ｓ５２２）、これらが一致すると（Ｓ５２２でＹｅｓ）、同期が完全に制御されていると判断することができるので、音声復号回路１０７で復号された音声データはすぐにスピーカー１０８へ送り出され（Ｓ５２４）、スピーカー１０８で再生視聴されることができ、映像復号回路１０４で復号された映像データはすぐに映像表示画面１０５へ送り出され（Ｓ５２４）、映像表示画面１０５で再生視聴されることができる。
【００６２】
なお、上記説明中（以下も同じ）のカッコ内に（Ｓ＋３桁の番号）で示すのは、図５に示す映像データと音声データとの同期制御を行う手順における、各ステップである。
【００６３】
このように、音声復号回路１０７で復号された音声データがスピーカー１０８へ送り出されるのと同時に、音声バッファ１０６の先頭に格納記憶されていたＰＴＳが２６０の音声データが次に音声復号回路１０７へ送り出され（Ｓ５０２）、音声復号回路１０７で次の復号化処理が行われる。
【００６４】
これと同時に、音声バッファ１０６に格納されていたＰＴＳが２７０から２９０である音声データが１つずつ、出力方向にシフトされ（Ｓ５０４）、音声バッファ１０６の最後尾には新しいＰＴＳが３００の音声データがＡＶ分離回路１０２からデータ制御回路１１０を経て、音声バッファ充填データ２２８として入力される（Ｓ５０６）。
【００６５】
同様に、映像復号回路１０４で復号された映像データが映像表示画面１０５へ送り出されるのと同時に、映像バッファ１０３の先頭に格納記憶されていたＰＴＳが２６０の映像データが次に映像復号回路１０４へ送り出され（Ｓ５０２）、映像復号回路１０４で次の復号化処理が行われる。
【００６６】
これと同時に、映像バッファ１０３に格納されていたＰＴＳが２７０から２９０である映像データが１つずつ、出力方向にシフトされ（Ｓ５０４）、映像バッファ１０３の最後尾には新しいＰＴＳが３００の映像データがＡＶ分離回路１０２から、映像バッファ充填データ２２６として入力される（Ｓ５０６）。
【００６７】
ＡＶ分離回路１０２には、次の新しいＰＴＳが３４０の映像音声入力信号１２０が入力回路１０１から充填される。
【００６８】
この状態を、図３に示す。
【００６９】
このような処理が繰り返し、連続的に行われることによって、完全に同期制御された音声データと映像データとが再生視聴される。
【００７０】
しかしながら、何らかの事情、例えば、電波条件の不良等によって、このような完全な同期制御に乱れが生じることがある。
【００７１】
図４は、このような同期制御に乱れが生じた例を示している。
【００７２】
図５から解るとおり、この例では、音声復号回路１０７にはＰＴＳが２５０の音声データが入力され、復号化処理が行われているが、映像復号回路１０４にはＰＴＳが１１０の映像データが入力され、復号化処理が行われている。
【００７３】
現在時刻は図４に示すようにＰＴＳの単位で言う２５０であり、音声復号回路１０７で復号中の音声データのＰＴＳは２５０であるから、音声データは正常に処理されているが、映像復号回路１０４で復号中の映像データのＰＴＳは１１０であるから、これらは一致せず（Ｓ５２２でＮｏ）映像データの処理が遅れていることが解る。
【００７４】
このような例では、音声復号回路１０７の復号結果と、映像復号回路１０４の復号結果とをそのまま再生視聴するとズレが生じてしまうので、通常そのまま再生視聴することはできない。
【００７５】
そこで、同期制御回路１０９とデータ制御回路１１０とは相俟ってこの同期のズレを解消するための処理を行う。
【００７６】
この時、従来の方式のように、映像バッファ１０３から映像データを１単位ずつ取り出し、そのＰＴＳ情報と現在時刻あるいは音声データのＰＴＳ情報とを比較する方法では、同期を完全に一致するまで制御するために長時間を要し、その間、視聴者は不自然な画面を見なければならない、あるいは音声や画像情報が途切れたり乱れる、あるいは、極端な例ではいつまで経過しても同期が一致しない、という問題があった。
【００７７】
そこで、本発明に係るＡＶ同期方法では、同期制御回路１０９が現在時刻と、映像バッファ１０３とに格納されている映像データのＰＴＳ情報と、音声バッファ１０６に格納されている音声データのＰＴＳ情報とを取得し、これらの情報をデータ制御回路１１０に送信する（Ｓ５２６）。
【００７８】
データ制御回路１１０は、同期制御回路１０９からこれらの情報を受信し、さらに、ＡＶ分離回路１０２に格納されている映像データと音声データとのＰＴＳ情報を取得し、これらを比較して、映像バッファ１０３あるいはＡＶ分離回路１０２の両方または片方にバッファ・リセット（クリア）信号、例えば、図４に示す映像バッファクリア信号２２４を送信し（Ｓ５２８）、現在時刻あるいは音声データのＰＴＳ情報に遅れているために再生視聴することができず不必要な映像データを削除する（Ｓ５４０）。
【００７９】
このようにして、１回のバッファ・クリアだけという極めて短時間で、現在時刻あるいは音声データのＰＴＳ情報に遅れているために再生視聴することができず不必要な映像データを全て削除することができ、さらに続けて、極めて短時間で次のデータがＡＶ分離回路１０２あるいは入力回路１０１から充填されるので、やはり同様に極めて短時間で、映像データと音声データとを完全に同期が一致するよう制御することができる。
【００８０】
そしてこのような処理によって、視聴者にとって、不自然な画面を見なければならない、あるいは音声や画像情報が途切れたり乱れる、といった時間を極めて短時間あるいは利用者がそれに気付かない時間で終了させることができる。
【００８１】
そしてさらに、いつまで経過しても同期が一致しないという問題も、解消することができる。
【産業上の利用可能性】
【００８２】
本発明によれば、本発明によれば、ＡＶ同期が外れた時にも、簡単な構成で尚且つ短時間で同期を回復させることができ、利用者から見た画面フリーズ期間が極めて短時間あるいはほとんど認識対象とならない期間に短縮することが可能となり、産業上の利用可能性は極めて高い。
【図面の簡単な説明】
【００８３】
【図１】本発明に係るＡＶ同期方法の実施の形態であるＡＶ再生機１００の概略構成図
【図２】データ制御回路１１０と同期制御回路１０９とが相俟って、映像データと音声データとの同期制御を行い、再生視聴される様子を模式的に示す図
【図３】データ制御回路１１０と同期制御回路１０９とが相俟って、映像データと音声データとの同期制御を行った時の、次の状態を模式的に示す図
【図４】映像データと音声データとの同期制御に乱れが生じた例を、模式的に示す図
【図５】映像データと音声データとの同期制御を行う手順を示す図
【図６】従来のＡＶ同期方式を行うＡＶ受信機９００の概略構成図
【符号の説明】
【００８４】
１００    ＡＶ再生機
１０１，９０１    入力回路
１０２，９０２    ＡＶ分離回路
１０３    映像バッファ
１０４    映像復号回路
１０５，９０５    映像表示画面
１０６    音声バッファ
１０７    音声復号回路
１０８，９０８    スピーカー
１０９    同期制御回路
１１０    データ制御回路
１２０，９２０    映像音声入力信号
２２３    映像遅延時間通知信号
２２４    映像バッファクリア信号
２２５    ＡＶバッファ充填用データ
２２６    映像バッファ充填データ
２２７    音声出力データ
２２８    音声バッファ充填データ
２２９    映像出力データ
９００    ＡＶ受信機
９０３    映像タイムスタンプ抽出回路
９０４    映像再生回路
９０６    音声タイムスタンプ抽出回路
９０７    音声再生回路
９０９    再生制御回路
【図１】
2006310916.tif 000003
【図２】
2006310916.tif 000004
【図３】
2006310916.tif 000005
【図４】
2006310916.tif 000006
【図５】
2006310916.tif 000007
【図６】
2006310916.tif 000008